(57)【要約】【課題】家庭における厄介なゴミである紙パックを、安全で簡単に、瞬時に解体して容易に廃品回収をすることが出来るパックリサイクルボックスである。一般ゴミのリサイクルのための加工は一般家庭で可能な水準とすべきで、安全かつ簡素な構造であることが必要である。【解決手段】本発明は、牛乳パック等の紙パックを、切断口に上から差込み、パック底部およびパック側面に切り込みを入れ、紙パック上部の接着された部分を指先で展開し、瞬時に紙パックを切り開き、紙ひもで結束して、リサイクル回収に適した状態にするものである。【選択図】図１
2008155926.tif 000002
【特許請求の範囲】
【請求項１】
紙パック容器の外形の抜き差しに適合した四角柱形状の切断口構造を持ち、紙パックを切開口から挿入し、底部に取り付けられたカッター山で、瞬時に紙パック底部を切り開き、次にひき抜く時に側面カッターにより、側面を切開するパックリサイクルボックス
【請求項２】
安全蓋により刃先が露出せず安全に紙パックの底面・側面を切開することができることが特徴である、請求項１に記載のパックリサイクルボックス。
【請求項３】
紙パックの挿入と引き抜きの際の空気圧による抵抗低減をはかるために、切断口底部側面に空気呼吸穴を持つ、請求項１に記載のパックリサイクルボックス。
【請求項４】
紙パック容器底部の平坦部に対して４５度以上の角度になるように取り付けた紙パックの底面を切開する四角錘状のカッター山を切断口の底部に取り付け、切削したパックの残滓詰まりによる切れ味低下を避けるために、４本のカッターの刃先の先端すきま寸法および刃先端の段差寸法を規定し、刃先先端を中央の一点に集中させて取り付けたことを特徴とする、請求項１に記載のパックリサイクルボックス。
【請求項５】
カッター山は、カッター刃の磨耗時に交換可能とするため、脱着可能にしたことを特徴とする、請求項１に記載のパックリサイクルボックス。
【請求項６】
紙パックを解体前に水をコップ一杯分程封入し、注ぎ口を指先で封止して、紙パックを上下動させることにより、封入した少量の水で紙パック内部を洗浄後、乾燥させたあとで解体する、請求項１に記載のパックリサイクル
【発明の詳細な説明】
【技術分野】
【０００１】
この発明は、牛乳パック等の紙パックを、カッター山を底部に取り付けた切断口に差込み、上から押し込むことにより、カッター山でパック底部を切断し、切断口側面に取り付けられたサイドカッターでパックを切断口から抜き取る際にパック側面に切り込みを入れ、紙パック抜き取り後に、紙パック上部の接着された部分を指先で展開し、瞬時に紙パックを切り開き、リサイクル回収に適した状態にするものである。
本発明は、主として飲料用に用いられる紙パックの解体用器具に関するものである。
【背景技術】
【０００２】
牛乳パックを代表とする飲料用紙パックのリサイクル運動において、使用済みの紙パックを洗浄、解体した形の回収が行われている。かかる解体は、通常のはさみ又はカッターを用いて行うことが一般的である。鋏や、カッター刃によって切り開いていたので、慣れないと上手く切れず、危険かつ非効率的であった。
【０００３】
従来の方法では解体後に多量の水道水で洗浄しなければならなかった。かかる理由から、多くの家庭では，前述の如く処理の面倒さ故に、紙パックを可燃ゴミとして廃却しており、一般家庭で受け入れられるリサイクル方法の工夫が必要である。
【０００４】
リサイクル活動の一層の活性化をめざす啓蒙が必要であるが、子供に任せることが出来る安全性、継続的に使用する楽しさを備えた器具はなかった。
【０００５】
通常、はさみを用いて紙パック解体を行うことが一般的であるが、家庭において解体する労力を解消すべく、解体を容易にする特殊な解体器が考案されている。
【０００６】
以上の動機に基づく工夫として、例えば特許文献１に示されるように、紙パックの側面のみを切断するものが発明されているが、紙パックの上部と底部の解体の方法は述べられておらず、紙パックの完全なリサイクルは不可能である。また、特許文献２に示されるように、はさみに代わりにカッターにより紙パックのいずれかの側面の一辺を切断し、その後に底部を切断する構造は、紙パックの側面を先に切り開く構造のため、紙パックの側面の剛性が失われて、分厚く丈夫な紙容器底部を切断するのに十分な荷重が得られず，現実には紙パックの底部の切断は困難である。また、水資源等、他の資源節約に配慮はされていなかった。子供が楽しみながら、リサイクルに参画することへの配慮がなかった。
【０００７】
一般家庭においては、解体した紙パックを水道水の流水にて洗浄しており、全家庭の使用量は膨大な水資源のムダである。
【特許文献１】特開２００１−０７９２８２号公報
【特許文献２】特開２００５−０１３６９３号公報
【発明の開示】
【発明が解決しようとする課題】
【０００８】
水資源等の節約とリサイクルの趣旨に沿って、紙パックを少量の水で内部洗浄し、安全に、且つ楽しみながら簡単に解体でき、回収を容易にする紙パックの解体道具が必要である。さらに、子供がリサイクル活動に参画することにより、リサイクルの趣旨を実感できることが必要である。
本発明は、簡単な構造で、大きな労力を必要とせず、リサイクル回収に適した形状に紙パックを解体し、一時保管でき、回収しやすい状態に結束する器具を提供することを目的とする。
【課題を解決するための手段】
【０００９】
本発明は切断口の底部に固定された刃具と側面を切断する２種類の刃具、その安全装置、解体した紙パック保管スペースとそれを結束する紙ひもを入れるスペースを一体化して、家庭ゴミリサイクルの一連の作業を瞬時に実行することで楽しめるものとし、上記課題を解決したものである。
【発明の効果】
【００１０】
以上のように、本発明により、紙パックの解体を容易に行うことができ、特に家庭に於けるリサイクルの促進に役立つものである。
且つ，残留物の洗浄水を節約できる。
【発明を実施するための最良の形態】
【００１１】
本体は図１の符号５に示す紙パックの外形に適合した内寸法を有する切断口と、符号１３に示す切断解体した紙パックを結束するための紙ひもを装てんする紙ひもスペースおよび、紙ひもを通すための2分割された側壁と符号１４に示す解体した紙パックを一時集積保管する保管スペースで構成された図１、図２に示すボックス形状である。
【００１２】
使用済みの紙パックは解体後に洗浄するのではなく、解体する前に、紙パック開口部（半開き状態）からコップ一杯程度の量の水道水を注水し、開口部を指でつまんで上下に揺動後に排出することにより、少量の水で内部洗浄することで洗浄水を節約する。
【００１３】
図３の符号３に示す安全ロックを回転させて解除し、符号１に示す安全蓋を符号１６の安全蓋操作タブをＲ方向にずらして安全蓋嵌合溝から安全蓋ツメを抜き出し、符号１の安全蓋をO方向に回転させて切開口を開く。
【００１４】
紙パックの底部を確実に切断するためには、紙パックの鉛直方向の剛性を確保しながら図４に示す如く荷重を加える必要がある。このことから、先に底部を切断する。
【００１５】
図５の符号７に示すカッター山の刃が鈍角に当たると、底部を完全に切断するためには非常に大きな力を要する。切断荷重を低減するために、紙パック底部に対して、カッター刃が鋭角に接するように取り付けさらにカッター山の刃先先端を一点に集中することにより、小さい荷重で紙パックの底部に切り込みを開始できる。
そこで、図５のカッター山の刃先は切り初めの抵抗を低減するために紙パック底部の一点に精密に集中して切り込む構造とした。４本のカッター刃先端は０〜０．３mm以下の隙間とし、カッター刃先端は０〜０．１mm以下の段差とする必要がある。
以上の理由からカッター山の精度の向上及び、耐久性の向上を目的として、中央に、カッター刃支柱を装着した。
【００１６】
図５のカッター山は、長期間使用により刃具の磨耗による切断性能劣化が問題になる。そこで、刃を別体の板上に装着し、ネジ止め式とし、交換可能とした。
【００１７】
図６の符号９に示す出入り可動式の側面カッターを装着し、紙パックを引き抜きながら長辺角部近傍を切断する。安全確保の目的で側面カッターは、定常状態はスプリングで安全な鞘に引き込まれている。
【００１８】
紙パック開口部を前方に向けて、底部まで押し込んだ後、紙パック側面に図６の符号９煮しめす側面カッターで切り込む。もう一方の手の指をパック開口部から内側に差込み、紙パック開口部の反対側に残された開口糊付け部に引っ掛けて、紙パックを上方へ抜き抜き取りながら、側面を側面カッターにて切断する。安全確保のため紙パックに切り込む刃先は紙パックを引き上げるために差し込んだ人差し指より下方の位置にしている。
【００１９】
図６の符号９に示す側面カッターは紙パックの切れ味を良くするために刃面と切断面が直角にならないように、角度をつけ、滑らかに切断できるようにした。
【００２０】
切断口から紙パックをスムーズに出し入れをするために切断口の底部に図１の符号６に示す通気穴を設けた。
【００２１】
図７に示す如く、切断された紙パックの糊付け部を手指で開くことにより、瞬時に且つ安全にパック等を完全に展開する。
【００２２】
手持ちの紙パックの解体が終了したら、安全確保のために、符号１の安全蓋をＣ方向に回転させＬ方向にスライドさせ、符号１７の安全蓋ツメを符号１５の安全蓋嵌合溝に挿入、符号３の安全ロックを施錠して解体は終了する。
【００２３】
図８に示す如く解体した紙パックは保管スペースの下部にあらかじめ通してある結束用の紙ひもの上に一時保管し、数がそろった段階で紙ひもにより結束して搬出梱包しやすい状態にひとまとめにする。
【図面の簡単な説明】
【００２４】
【図１】本発明のパックリサイクルボックスの斜視図
【図２】パックリサイクルボックス３面図
【図３】切断口・安全蓋・斜視図
【図４】切断口への紙パック挿入説明図
【図５】カッター山斜視図
【図６】側面カッター切り込み説明図
【図７】糊付け部剥離説明図
【図８】解体完了後一時保管説明図
【符号の説明】
【００２５】
１．安全蓋（長穴付きアルミふた）
２．安全蓋タッピングねじ
３．安全ロック
４．安全ロックタッピングねじ
５．切断口
６．通気口
７．カッター山
８．カッター山固定タッピングねじ
９．側面カッター
１０．側面カッタースプリング
１１．スプリングフック
１２．紙ひも
１３．紙ひもスペース
１４．保管スペース
１５．安全蓋の嵌合溝
１６．安全蓋操作タブ
１７．安全蓋嵌合ツメ
１８．安全蓋長穴
【図１】
2008155926.tif 000003
【図２】
2008155926.tif 000004
【図３】
2008155926.tif 000005
【図４】
2008155926.tif 000006
【図５】
2008155926.tif 000007
【図６】
2008155926.tif 000008
【図７】
2008155926.tif 000009
【図８】
2008155926.tif 000010